(57)【要約】      （修正有）【課題】ヒートポンプシステムのＣＯＰを向上可能な貯湯・暖房・給湯システムを提供する。【解決手段】貯湯システムは、貯湯タンクから低温側配管を介して供給された温水を加熱するヒートポンプシステムと、ヒートポンプシステムで加熱された温水を高温側配管を介して貯湯タンク内の高温層領域及び低温層領域のいずれかに戻す流路切換機構５２と、高温側配管に設けられた高温側温度センサ６２と、高温側切換温度を記憶する高温側切換温度記憶手段７２と、高温側切換温度記憶手段７２に記憶された高温側切換温度を変更する高温側切換温度変更手段７４とを備え、流路切換機構５２は、高温側温度センサ６２により検知された温度が高温側切換温度より高い場合にはヒートポンプシステムで加熱された温水を高温層領域に戻し、高温側温度センサ６２により検知された温度が高温側切換温度以下である場合にはヒートポンプシステムで加熱された温水を低温層領域に戻す。【選択図】図２
2010054120.tif 000002
【特許請求の範囲】
【請求項１】
温水を貯える貯湯タンクと、
前記貯湯タンクから低温側配管を介して供給された温水を加熱するヒートポンプシステムと、
前記ヒートポンプシステムで加熱された温水を高温側配管を介して前記貯湯タンク内の高温層領域及び低温層領域のいずれかに戻す流路切換機構と、
前記高温側配管に設けられた高温側温度センサと、
高温側切換温度を記憶する高温側切換温度記憶手段と、
前記高温側切換温度記憶手段に記憶された前記高温側切換温度を変更する高温側切換温度変更手段とを備え、
前記流路切換機構は、前記高温側温度センサにより検知された温度が前記高温側切換温度より高い場合には前記ヒートポンプシステムで加熱された温水を前記高温層領域に戻し、前記高温側温度センサにより検知された温度が前記高温側切換温度以下である場合には前記ヒートポンプシステムで加熱された温水を前記低温層領域に戻すことを特徴とする貯湯システム。
【請求項２】
前記貯湯タンク内の低温層領域または前記低温側配管に設けられた低温側温度センサと、
低温側切換温度を記憶する低温側切換温度記憶手段と、
前記低温側切換温度記憶手段に記憶された前記低温側切換温度を変更する低温側切換温度変更手段とを備え、
前記流路切換機構は、前記高温側温度センサにより検知された温度が前記高温側切換温度より高い場合及び前記高温側温度センサにより検知された温度が前記高温側切換温度以下であり且つ前記低温側温度センサにより検知された温度が前記低温側切換温度より高い場合には前記ヒートポンプシステムで加熱された温水を前記高温層領域に戻し、前記高温側温度センサにより検知された温度が前記高温側切換温度以下であり且つ前記低温側温度センサにより検知された温度が前記低温側切換温度以下である場合には前記ヒートポンプシステムで加熱された温水を前記低温層領域に戻すことを特徴とする請求項１記載の貯湯システム。
【請求項３】
外気温度を検知する外気温度センサを備え、
前記低温側切換温度変更手段は、前記外気温度センサの出力に基づいて、前記低温側切換温度記憶手段に記憶された前記低温側切換温度を変更することを特徴とする請求項２記載の貯湯システム。
【請求項４】
前記貯湯タンク内の高温層領域に設けられたタンク温度センサを備え、
前記高温側切換温度変更手段は、前記タンク温度センサの出力に基づいて前記高温側切換温度記憶手段に記憶された前記高温側切換温度を変更することを特徴とする請求項１〜３のいずれか１項に記載の貯湯システム。
【請求項５】
前記高温側温度センサは、前記高温側配管において前記ヒートポンプシステムより前記貯湯タンクに近い位置に設けられることを特徴とする請求項１〜４のいずれか１項に記載の貯湯システム。
【請求項６】
請求項１〜５のいずれか１項に記載の貯湯システムと、
前記貯湯タンクに貯えられた温水を前記貯湯タンクと暖房端末との間で循環させる循環回路と、
前記暖房端末へ供給される温水の供給温度を設定する供給温度設定手段とを備え、
前記高温側切換温度変更手段は、前記供給温度設定手段により設定された前記供給温度に基づいて、前記高温側切換温度記憶手段に記憶された前記高温側切換温度を変更することを特徴とする暖房システム。
【請求項７】
請求項１〜５のいずれか１項に記載の貯湯システムと、
前記貯湯タンク内に配置され、給湯水が内部を流れる熱交換器と、
前記熱交換器から給湯端末へ供給される温水の出湯温度を設定する出湯温度設定手段とを備え、
前記高温側切換温度変更手段は、前記出湯温度設定手段により設定された出湯温度に基づいて、前記高温側切換温度記憶手段に記憶された前記高温側切換温度を変更することを特徴とする給湯システム。
【請求項８】
温水を貯える貯湯タンクと、
前記貯湯タンクから低温側配管を介して供給された温水を加熱するヒートポンプシステムと、
前記ヒートポンプシステムで加熱された温水を前記貯湯タンク内の高温層領域及び低温層領域のいずれかに高温側配管を介して戻す流路切換機構と、
前記貯湯タンク内の低温層領域または前記低温側配管に設けられた低温側温度センサと、
低温側切換温度を記憶する低温側切換温度記憶手段と、
前記低温側切換温度記憶手段に記憶された前記低温側切換温度を変更する低温側切換温度変更手段とを備え、
前記流路切換機構は、前記低温側温度センサにより検知された温度が前記低温側切換温度より高い場合には前記ヒートポンプシステムで加熱された温水を前記高温層領域に戻し、前記低温側温度センサにより検知された温度が前記低温側切換温度以下である場合には前記ヒートポンプシステムで加熱された温水を前記低温層領域に戻すことを特徴とする貯湯システム。
【請求項９】
外気温度を検知する外気温度センサを備え、
前記低温側切換温度変更手段は、前記外気温度センサの出力に基づいて、前記低温側切換温度記憶手段に記憶された前記低温側切換温度を変更することを特徴とする請求項８記載の貯湯システム。
【発明の詳細な説明】
【技術分野】
【０００１】
本発明は、温水を貯える貯湯タンクに配管を介して所定の温度に加熱された温水を供給する貯湯システム、暖房システム及び給湯システムに関する。
【背景技術】
【０００２】
従来の貯湯式給湯装置は、ヒートポンプシステムによって加熱された温水を、低温層領域及び高温層領域に貯湯可能な貯湯タンクを有している。このような給湯装置は、ヒートポンプシステムの出湯口近傍にヒートポンプシステムから貯湯タンクへの出湯温度Ｘを検知する出湯温度センサと、低温層領域に貯えられた温水の貯湯温度Ｙを検知する貯湯温度センサを備え、ヒートポンプシステムから貯湯タンクに供給する温水を貯湯タンクの高温層領域に戻すか低温層領域に戻すか選択可能な構成となっている。具体的には、出湯温度Ｘが第１所定温度よりも高い場合及び出湯温度Ｘが第１所定温度以下であり且つ貯湯温度Ｙが第２所定温度よりも高い場合に、温水は高温層領域に戻され、出湯温度Ｘが第１所定温度以下であり且つ貯湯温度Ｙが第２所定温度以下の場合に、温水は低温層領域に戻される（特許文献１参照）。
【特許文献１】特許第４０６９９０８号公報
【発明の開示】
【発明が解決しようとする課題】
【０００３】
しかしながら、従来の給湯装置では、ヒートポンプシステムから貯湯タンクに供給する温水を貯湯タンクの高温層領域に戻すか否かの判定に用いる第１所定温度が固定される。したがって、貯湯タンクの高温層領域で要求される要求温度が第１所定温度より低い場合であっても、第１所定温度より高い温度の温水が高温層領域に供給される。このため、ヒートポンプシステムから貯湯タンクへの出湯温度Ｘが高くなり、ヒートポンプシステムのＣＯＰが低下し、電気料金が増加するという問題があった。
【０００４】
また、従来の給湯装置では、ヒートポンプシステムから貯湯タンクに供給する温水を貯湯タンクの低温層領域に戻すか否かの判定に用いる第２所定温度が固定される。したがって、外気温度の上昇に伴って第２所定温度を下げることができない。よって、低温層領域に貯えられた温水の貯湯温度Ｙを下げることができず、低温層領域からヒートポンプシステムに供給される温水の温度が高くなる。このため、ヒートポンプシステムのＣＯＰが低下し、電気料金が増加するという問題があった。
【０００５】
本発明の目的は、ヒートポンプシステムから貯湯タンクに供給する温水を貯湯タンクの高温層領域に戻すか低温層領域に戻すかの判定に用いる高温側切換温度及び低温側切換温度を運転状況に応じて変更でき、ヒートポンプシステムのＣＯＰを向上可能な貯湯システム、暖房システム及び給湯システムを提供することである。
【課題を解決するための手段】
【０００６】
第１の発明に係る貯湯システムは、温水を貯える貯湯タンクと、貯湯タンクから低温側配管を介して供給された温水を加熱するヒートポンプシステムと、ヒートポンプシステムで加熱された温水を高温側配管を介して貯湯タンク内の高温層領域及び低温層領域のいずれかに戻す流路切換機構と、高温側配管に設けられた高温側温度センサと、高温側切換温度を記憶する高温側切換温度記憶手段と、高温側切換温度記憶手段に記憶された高温側切換温度を変更する高温側切換温度変更手段とを備え、流路切換機構は、高温側温度センサにより検知された温度が高温側切換温度より高い場合にはヒートポンプシステムで加熱された温水を高温層領域に戻し、高温側温度センサにより検知された温度が高温側切換温度以下である場合にはヒートポンプシステムで加熱された温水を低温層領域に戻す。
【０００７】
この貯湯システムでは、ヒートポンプシステムから貯湯タンクに供給する温水を貯湯タンクの高温層領域に戻すか否かの判定に用いる高温側切換温度を運転状況に応じて変更できる。したがって、ヒートポンプシステムから貯湯タンク内の高温層領域に供給される温水の温度を貯湯システムの運転状況に応じて柔軟に下げることができる。このため、ヒートポンプシステムのＣＯＰを向上でき、電気料金を低減できる。なお、貯湯システムの運転状況には、貯湯タンクの高温層領域で検知された温度や、貯湯タンクで要求される温度や、貯湯タンクに貯湯された温水が暖房端末へ供給される場合において暖房端末への供給温度等が含まれる。
【０００８】
第２の発明に係る貯湯システムは、第１の発明に係る貯湯システムにおいて、貯湯タンク内の低温層領域または低温側配管に設けられた低温側温度センサと、低温側切換温度を記憶する低温側切換温度記憶手段と、低温側切換温度記憶手段に記憶された低温側切換温度を変更する低温側切換温度変更手段とを備え、流路切換機構は、高温側温度センサにより検知された温度が高温側切換温度より高い場合及び高温側温度センサにより検知された温度が高温側切換温度以下であり且つ低温側温度センサにより検知された温度が低温側切換温度より高い場合にはヒートポンプシステムで加熱された温水を高温層領域に戻し、高温側温度センサにより検知された温度が高温側切換温度以下であり且つ低温側温度センサにより検知された温度が低温側切換温度以下である場合にはヒートポンプシステムで加熱された温水を低温層領域に戻す。
【０００９】
この貯湯システムでは、ヒートポンプシステムから貯湯タンクに供給する温水を貯湯タンクの低温層領域に戻すか否かの判定に用いる低温側切換温度を外気温度等の運転状況に応じて変更できる。よって、ヒートポンプシステムから貯湯タンク内の低温層領域に供給される温水の温度を貯湯システムの運転状況に応じて柔軟に下げることができる。したがって、貯湯タンクから低温側配管を介してヒートポンプシステムに戻る温水の温度を低下できる。このため、ヒートポンプシステムのＣＯＰを向上でき、電気料金を低減できる。
【００１０】
第３の発明に係る貯湯システムは、第２の発明に係る貯湯システムにおいて、外気温度を検知する外気温度センサを備え、低温側切換温度変更手段は、外気温度センサの出力に基づいて、低温側切換温度記憶手段に記憶された低温側切換温度を変更する。
【００１１】
この貯湯システムでは、外気温度の変化に応じて低温側切換温度を柔軟かつ容易に変更できる。
【００１２】
第４の発明に係る貯湯システムは、第１〜３の発明のいずれかに係る貯湯システムにおいて、貯湯タンク内の高温層領域に設けられたタンク温度センサを備え、高温側切換温度変更手段は、タンク温度センサの出力に基づいて高温側切換温度記憶手段に記憶された高温側切換温度を変更する。
【００１３】
この貯湯システムでは、貯湯タンク内の高温層領域に貯湯された温水温度の変化に応じて、高温側切換温度を柔軟かつ容易に変更できる。
【００１４】
第５の発明に係る貯湯システムは、第１〜４の発明のいずれかに係る貯湯システムにおいて、高温側温度センサは、高温側配管においてヒートポンプシステムより貯湯タンクに近い位置に設けられる。
【００１５】
この貯湯システムでは、ヒートポンプシステムから貯湯タンクに供給される温水の温度をヒートポンプシステムより貯湯タンクに近い位置で検知することで、ヒートポンプシステムと貯湯タンクとを接続する高温側配管における温水の熱損失や放熱による影響を考慮した検知を実現できる。したがって、ヒートポンプシステムから貯湯タンクに供給される温水の温度の検知精度を高めることができる。
【００１６】
第６の発明に係る暖房システムは、第１〜５の発明のいずれかに係る貯湯システムと、貯湯タンクに貯えられた温水を貯湯タンクと暖房端末との間で循環させる循環回路と、暖房端末へ供給される温水の供給温度を設定する供給温度設定手段とを備え、高温側切換温度変更手段は、供給温度設定手段により設定された供給温度に基づいて、高温側切換温度記憶手段に記憶された高温側切換温度を変更する。
【００１７】
この暖房システムでは、供給温度設定手段により設定された供給温度の変化に応じて、高温側切換温度を柔軟かつ容易に変更できる。
【００１８】
第７の発明に係る給湯システムは、第１〜５の発明のいずれかに係る貯湯システムと、貯湯タンク内に配置され、給湯水が内部を流れる熱交換器と、熱交換器から給湯端末へ供給される温水の出湯温度を設定する出湯温度設定手段とを備え、高温側切換温度変更手段は、出湯温度設定手段により設定された出湯温度に基づいて、高温側切換温度記憶手段に記憶された高温側切換温度を変更する。
【００１９】
この給湯システムでは、出湯温度設定手段により設定された出湯温度の変化に応じて、高温側切換温度を柔軟かつ容易に変更できる。
【００２０】
第８の発明に係る貯湯システムは、温水を貯える貯湯タンクと、貯湯タンクから低温側配管を介して供給された温水を加熱するヒートポンプシステムと、ヒートポンプシステムで加熱された温水を貯湯タンク内の高温層領域及び低温層領域のいずれかに高温側配管を介して戻す流路切換機構と、貯湯タンク内の低温層領域または低温側配管に設けられた低温側温度センサと、低温側切換温度を記憶する低温側切換温度記憶手段と、低温側切換温度記憶手段に記憶された低温側切換温度を変更する低温側切換温度変更手段とを備え、流路切換機構は、低温側温度センサにより検知された温度が低温側切換温度より高い場合にはヒートポンプシステムで加熱された温水を高温層領域に戻し、低温側温度センサにより検知された温度が低温側切換温度以下である場合にはヒートポンプシステムで加熱された温水を低温層領域に戻す。
【００２１】
この貯湯システムでは、低温側切換温度を外気温度等の運転状況に応じて変更できる。よって、ヒートポンプシステムから貯湯タンク内の低温層領域に供給される温水の温度を貯湯システムの運転状況に応じて柔軟に下げることができる。したがって、貯湯タンクから低温側配管を介してヒートポンプシステムに戻る温水の温度を低下できる。このため、ヒートポンプシステムのＣＯＰを向上でき、電気料金を低減できる。
【００２２】
第９の発明に係る貯湯システムは、第８の発明に係る貯湯システムにおいて、外気温度を検知する外気温度センサを備え、前記低温側切換温度変更手段は、前記外気温度センサの出力に基づいて、前記低温側切換温度記憶手段に記憶された前記低温側切換温度を変更する。
【００２３】
この貯湯システムでは、外気温度の変化に応じて低温側切換温度を柔軟かつ容易に変更できる。
【発明の効果】
【００２４】
以上の説明に述べたように、本発明によれば、以下の効果が得られる。
【００２５】
第１の発明では、ヒートポンプシステムから貯湯タンクに供給する温水を貯湯タンクの高温層領域に戻すか否かの判定に用いる高温側切換温度を運転状況に応じて変更できる。したがって、ヒートポンプシステムから貯湯タンク内の高温層領域に供給される温水の温度を貯湯システムの運転状況に応じて柔軟に下げることができる。このため、ヒートポンプシステムのＣＯＰを向上でき、電気料金を低減できる。なお、貯湯システムの運転状況には、貯湯タンクの高温層領域で検知された温度や、暖房端末へ供給される温水の供給温度等が含まれる。
【００２６】
また、第２の発明では、ヒートポンプシステムから貯湯タンクに供給する温水を貯湯タンクの低温層領域に戻すか否かの判定に用いる低温側切換温度を外気温度等の運転状況に応じて変更できる。よって、ヒートポンプシステムから貯湯タンク内の低温層領域に供給される温水の温度を貯湯システムの運転状況に応じて柔軟に下げることができる。したがって、貯湯タンクから低温側配管を介してヒートポンプシステムに戻る温水の温度を低下できる。このため、ヒートポンプシステムのＣＯＰを向上でき、電気料金を低減できる。
【００２７】
また、第３の発明では、外気温度の変化に応じて低温側切換温度を柔軟かつ容易に変更できる。
【００２８】
また、第４の発明では、貯湯タンク内の高温層領域に貯湯された温水温度の変化に応じて、高温側切換温度を柔軟かつ容易に変更できる。
【００２９】
また、第５の発明では、ヒートポンプシステムから貯湯タンクに供給される温水の温度をヒートポンプシステムより貯湯タンクに近い位置で検知することで、ヒートポンプシステムと貯湯タンクとを接続する高温側配管における温水の熱損失や放熱による影響を考慮した検知を実現できる。したがって、ヒートポンプシステムから貯湯タンクに供給される温水の温度の検知精度を高めることができる。
【００３０】
また、第６の発明では、供給温度設定手段により設定された供給温度の変化に応じて、高温側切換温度を柔軟かつ容易に変更できる。
【００３１】
また、第７の発明では、出湯温度設定手段により設定された出湯温度の変化に応じて、高温側切換温度を柔軟かつ容易に変更できる。
【００３２】
また、第８の発明では、低温側切換温度を外気温度等の運転状況に応じて変更できる。よって、ヒートポンプシステムから貯湯タンク内の低温層領域に供給される温水の温度を貯湯システムの運転状況に応じて柔軟に下げることができる。したがって、貯湯タンクから低温側配管を介してヒートポンプシステムに戻る温水の温度を低下できる。このため、ヒートポンプシステムのＣＯＰを向上でき、電気料金を低減できる。
【００３３】
また、第９の発明では、外気温度の変化に応じて低温側切換温度を柔軟かつ容易に変更できる。
【発明を実施するための最良の形態】
【００３４】
以下、本発明の貯湯システム、暖房システム及び給湯システムを図示の実施の形態により詳細に説明する。
【００３５】
（第１実施形態）
図１は、本発明の第１実施形態の暖房給湯システムの構成を示す模式図である。
【００３６】
暖房給湯システム１００は、ヒートポンプユニット１０１（ヒートポンプシステム）及び室内ユニット１０２を有している。ヒートポンプユニット１０１は、ＣＯ２冷媒が循環する冷媒回路１６、電動送風機１７、外気温度センサ１８、室内ユニット１０２との間で温水を循環させるための往き配管２０（高温側配管）及び戻り配管２１（低温側配管）を有している。この往き配管２０には、凝縮器１３及び貯湯タンク２間を接続する全ての配管が含まれる。これと同様に、戻り配管２１にも、凝縮器１３及び貯湯タンク２間を接続する全ての配管が含まれる。
【００３７】
冷媒回路１６は、蒸発器１１、圧縮機１２、凝縮器１３及び膨張弁１５を有している。ＣＯ２冷媒は、蒸発器１１において、電動送風機１７から送られた空気中の熱を吸収してガス化する。そして、ＣＯ２冷媒は、圧縮機１２で圧縮されて高温となった後、凝縮器１３に到達して熱を放出する。これにより、ＣＯ２冷媒は、凝縮器１３に入る前に比べて低温となって膨張弁１５を経て蒸発器１１に戻る。
【００３８】
外気温度センサ１８は、外気温度を検知するために設けられる。外気温度センサ１８の出力は、有線又は無線を介して後述する制御部６０に入力される。出湯温度センサ１９は、凝縮器１３と沸き上げ用三方弁５２とを接続する往き配管２０において沸き上げ用三方弁５２より凝縮器１３に近い位置に設けられ、ヒートポンプユニット１０１の出湯温度を検知する。そして、出湯温度センサ１９の出力は、有線又は無線を介して後述する制御部６０に入力される。
【００３９】
室内ユニット１０２は、ヒートポンプユニット１０１で加熱された温水を貯える貯湯タンク２、給湯用熱交換器３（熱交換器）、複数の暖房端末８との間で温水を循環させる暖房用循環回路４（循環回路）、沸き上げ用循環回路５、制御部６０、リモコン６１及び入湯温度センサ６２（高温側温度センサ）を有している。
【００４０】
貯湯タンク２は、上下方向の略中央部に配置されたヒータ６を有している。このヒータ６は、貯湯タンク２内の温水を直接加熱するために設けられる。貯湯タンク２内の温水は、上側に高温の温水、下側に比較的低温の温水が位置するように湯層が形成されている。また、貯湯タンク２には、貯湯タンク２内の各高さ位置における温水の温度を検知するためのタンク温度センサ６３（低温側温度センサ）、タンク温度センサ６４、タンク温度センサ６５及びタンク温度センサ６６が設けられている。
【００４１】
タンク温度センサ６３及びタンク温度センサ６４は、貯湯タンク２内の下部領域（低温層領域）における温水の温度を検知するために、後述する第１暖房往き接続口４１よりも下方に配置されている。タンク温度センサ６４は、タンク温度センサ６３の上方に設けられている。一方、タンク温度センサ６５及びタンク温度センサ６６は、貯湯タンク２内の上部領域（高温層領域）における温水の温度を検知するために、第１暖房往き接続口４１よりも上方に配置されている。タンク温度センサ６６は、タンク温度センサ６５の上方に設けられている。そして、これらタンク温度センサ６３、６４、６５、６６の各出力Ｔ１、Ｔ２、Ｔ３、Ｔ４は、有線又は無線を介して制御部６０に入力される。
【００４２】
給湯用熱交換器３は熱交換器の一例であり、コイル状のパイプから成って、貯湯タンク２内の下部領域から上部領域に渡ってヒータ６を跨ぐように配置されている。給湯水は給湯用熱交換器３内を流れることによって加熱され、給湯端末（図示せず）に供給される。より詳しくは、上記給湯水は、貯湯タンク２の下部から貯湯タンク２内に入って、貯湯タンク２内の下部領域に配置された給湯用熱交換器３を上方に向かって流れる。そして、上記給湯水は、貯湯タンク２内の上部領域に配置された給湯用熱交換器３を上方に向かって流れた後、貯湯タンク２の上部から貯湯タンク２外に出る。
【００４３】
また、給湯水の温度を設定温度に調整するために、給湯用混合弁３１を開いて、貯湯タンク２から出た給湯水と、貯湯タンク２に流入する前の給湯水とを混ぜ合わせる。これにより、上記貯湯タンク２から出た給湯水の温度を下げることができる。
【００４４】
暖房用循環回路４は循環回路の一例であり、貯湯タンク２内に貯められた温水を貯湯タンク２外の複数の暖房端末８を経由させた後、再び、貯湯タンク２内に戻して循環させるためのものである。そして、暖房用循環回路４は、第１暖房往き接続口４１、第２暖房往き接続口４２及び暖房戻り接続口４３に接続されている。
【００４５】
第１暖房往き接続口４１は、貯湯タンク２内の温水を取り出すためのものである。この第１暖房往き接続口４１は、貯湯タンク２の上下方向の略中央部に設けられて、ヒータ６近傍かつ上方に位置している。これにより、ヒータ６で加熱された直後の温水を、第１暖房往き接続口４１から取り出し、複数の暖房端末８に送ることができる。
【００４６】
第２暖房往き接続口４２も、第１暖房往き接続口４１と同様に、貯湯タンク２内の温水を取り出すためのものである。この第２暖房往き接続口４２は貯湯タンク２の上部に設けられている。これにより、貯湯タンク２内の上部領域の温水を、第２暖房往き接続口４２から取り出し、複数の暖房端末８へ送ることができる。また、第２暖房往き接続口４２は沸き上げ戻り接続口を兼用している。
【００４７】
また、暖房用循環回路４には、バイパス配管４４、暖房用混合弁４５、往き温度センサ４６、戻り温度センサ４７、暖房用循環ポンプ４８及び暖房用三方弁４９が設けられている。
【００４８】
バイパス配管４４は、暖房端末８から暖房戻り接続口４３へ流れる温水の一部を暖房用混合弁４５へ案内する。暖房用混合弁４５は、貯湯タンク２からの温水が流入する入口と、バイパス配管４４からの温水が流入する入口とを有している。暖房用混合弁４５の各入口の開度は制御部６０によって調節される。
【００４９】
往き温度センサ４６は、貯湯タンク２から暖房端末８へ向かう温水の温度を往き温度として検出し、この往き温度を示す情報を制御部６０に送る。戻り温度センサ４７は、暖房端末８から貯湯タンク２へ向かう温水の温度を戻り温度として検出し、この戻り温度を示す情報を制御部６０に送る。
【００５０】
暖房用循環ポンプ４８は、第２暖房往き接続口４２または第１暖房往き接続口４１を介して貯湯タンク２内の温水を吸い込み、複数の暖房端末８に向けて吐出する。暖房用三方弁４９は、貯湯タンク２内の温水の高温領域が第１暖房往き接続口４１近傍に存在している場合、第１暖房往き接続口４１から温水を取り出す。
【００５１】
沸き上げ用循環回路５は、沸き上げ用循環ポンプ５１及び沸き上げ用三方弁５２（流路切換機構）を有している。そして、沸き上げ用循環回路５は、第２暖房往き接続口４２と、沸き上げ用の供給口５３と、凍結防止水戻し接続口５４とに接続されている。
【００５２】
供給口５３は貯湯タンク２の下部に設けられている。これにより、貯湯タンク２内の下部領域にある比較的低温の温水を、供給口５３を介して沸き上げ用循環ポンプ５１に供給することができる。沸き上げ用循環ポンプ５１は、貯湯タンク２内の下部領域にある比較的低温の温水を吸い込み、この吸い込んだ比較的低温の温水を凝縮器１３へ向けて吐出する。凝縮器１３ではＣＯ２冷媒と温水とが熱交換されて、その温水が高温になる。この凝縮器１３を出た高温の温水は沸き上げ用三方弁５２へ向かう。
【００５３】
沸き上げ用三方弁５２は、給湯運転中及び暖房運転中、凝縮器１３からの高温の温水を、第２暖房往き接続口４２を介して貯湯タンク２内の上部領域に流す。したがって、第２暖房往き接続口４２は、貯湯タンク２の供給口５３から流出してヒートポンプユニット１０１の凝縮器１３を出た後の温水が戻る接続口となっている。
【００５４】
沸き上げ用三方弁５２は、凍結防止運転中には、供給口５３から沸き上げ用循環回路５を介して流れてきた温水を、凍結防止水戻し接続口５４を介して貯湯タンク２内の下部領域に流す。なお、凍結防止運転は沸き上げ運転の停止中に行われる。
【００５５】
暖房端末８は、貯湯タンク２から流れてきた温水の熱を直接取り出し、室内に放出する。そして、温水は、低温となり、暖房端末８を出て、暖房戻り接続口４３へ向かって流れる。暖房戻り接続口４３は貯湯タンク２の下部に設けられている。これにより、暖房戻り接続口４３から出た温水を、貯湯タンク２内の下部領域の温水と混ぜることができる。
【００５６】
リモコン６１は、制御部６０と有線又は無線で通信可能に接続される。このリモコン６１は、ヒートポンプユニット１０１の運転開始指示や運転停止指示を受付可能であると共に、貯湯タンク２から暖房端末８へ供給される温水の供給温度や、給湯用熱交換器３から給湯端末へ供給される温水の出湯温度を設定可能であり、その出力は有線又は無線を介して制御部６０に入力される。入湯温度センサ６２は、凝縮器１３と沸き上げ用三方弁５２とを接続する往き配管２０において凝縮器１３より沸き上げ用三方弁５２に近い位置に設けられ、室内ユニット１０２への入湯温度を検知する。そして、入湯温度センサ６２の出力は、有線又は無線を介して制御部６０に入力される。
【００５７】
図２は、制御部６０の構成を示すブロック図である。制御部６０は、入湯温度検知部７０、流路切換制御部７１、高温側切換温度記憶部７２（高温側切換温度記憶手段）、タンク温度検知部７３及び高温側切換温度変更部７４（高温側切換温度変更手段）を有している。
【００５８】
入湯温度検知部７０は、入湯温度センサ６２（高温側温度センサ）から入湯温度Ｔinを示す情報を受け取り、受け取った情報を流路切換制御部７１に出力する。流路切換制御部７１は、入湯温度検知部７０から受け取った情報と、高温側切換温度記憶部７２に格納された高温側切換温度を示す情報とに基づいて沸き上げ用三方弁５２を切換制御して、凝縮器１３からの高温の温水を貯湯タンク２内の上部領域あるいは下部領域に戻す。
【００５９】
高温側切換温度記憶部７２は、高温側切換温度を示す情報を格納するために、例えば電気的にデータの書き換えが可能なＥＥＰＲＯＭ やフラッシュメモリ等で構成される。なお、この高温側切換温度記憶部７２は、制御部６０に搭載される電気的にデータの書き換えが可能なＲＯＭ等で代用することも可能である。
【００６０】
タンク温度検知部７３は、タンク温度センサ６６からタンク温度Ｔ４を示す情報を受け取り、受け取った情報を高温側切換温度変更部７４に出力する。高温側切換温度変更部７４は、タンク温度検知部７３から受け取ったタンク温度Ｔ４を示す情報に基づいて、高温側切換温度記憶部７２に格納された高温側切換温度を変更する。なお、このタンク温度Ｔ４は、例えば、貯湯タンク２内の上部領域で所望される温度を示し、暖房端末８への供給温度や、給湯端末への出湯温度によって決定される。
【００６１】
図３は、本発明の第１実施形態の制御部６０による沸き上げ用三方弁５２の切換制御動作を示すフローチャートである。この例では、初期状態において、ヒートポンプユニット１０１は停止しており、沸き上げ用三方弁５２の出湯先は、貯湯タンク２内の下部領域に予め設定されている。また、高温側切換温度記憶部７２には、高温側切換温度としてＡ℃（例えば５５℃以上）を示す情報が予め格納される。
【００６２】
まず、ステップＳ１００において、ヒートポンプユニット１０１の運転が開始される。そして、処理はステップＳ１０２に移行する。
【００６３】
ステップＳ１０２において、タンク温度検知部７３は、タンク温度センサ６６からタンク温度Ｔ４を示す情報を受け取り、受け取った情報を高温側切換温度変更部７４に出力する。この後、処理はステップＳ１０４に移行する。
【００６４】
ステップＳ１０４において、高温側切換温度変更部７４は、タンク温度検知部７３から受け取ったタンク温度Ｔ４を示す情報に基づいて、高温側切換温度記憶部７２に格納された高温側切換温度Ａを新たな高温側切換温度Ａ’（例えば８０℃）に変更する。この例では、タンク温度Ｔ４が低下したことに伴い、高温側切換温度Ａ’は高温側切換温度Ａより低い温度に設定される。そして、処理はステップＳ１０６に移行する。
【００６５】
ステップＳ１０６において、入湯温度検知部７０は、入湯温度センサ６２から入湯温度Ｔinを示す情報を受け取り、受け取った情報を流路切換制御部７１に出力する。そして、処理はステップＳ１０８に移行する。
【００６６】
ステップＳ１０８において、流路切換制御部７１は、ヒートポンプユニット１０１が除霜運転中であるか否か判定する。除霜運転中の場合、沸き上げ用三方弁５２の出湯先を貯湯タンク２内の下部領域に維持または切換を行うために、処理はステップＳ１２２に移行する。一方、除霜運転中でない場合、処理はステップＳ１１０に移行する。
【００６７】
ステップＳ１０８でヒートポンプユニット１０１が除霜運転中でないと判定された場合、ステップＳ１１０において、流路切換制御部７１は、除霜運転指示を受け付けたか否か判定する。除霜運転指示を受け付けた場合、沸き上げ用三方弁５２の出湯先を貯湯タンク２内の下部領域に維持または切換を行うために、処理はステップＳ１２２に移行する。一方、除霜運転指示を受け付けなかった場合、処理はステップＳ１１２に移行する。
【００６８】
ステップＳ１１２において、流路切換制御部７１は、入湯温度検知部７０から受け取った入湯温度Ｔinが高温側切換温度Ａ’より高いか、または、沸き上げ用三方弁５２が貯湯タンク２の高温側を向いているか否かを判定する。なお、この例では、高温側切換温度Ａは５５℃以上に設定されているため、沸き上げ用三方弁５２が高温側を向いている場合、入湯温度Ｔinは、５５℃以上に保たれている。入湯温度Ｔinが高温側切換温度Ａ’より高い場合、または、沸き上げ用三方弁５２が貯湯タンク２の高温側を向いている場合、処理はステップＳ１１４に移行する。一方、入湯温度Ｔinが高温側切換温度Ａ’以下であり、かつ、沸き上げ用三方弁５２が貯湯タンク２の高温側を向いていない場合、沸き上げ用三方弁５２の出湯先を貯湯タンク２内の下部領域で維持するために、処理はステップＳ１２２に移行する。
【００６９】
なお、沸き上げ用三方弁５２が貯湯タンク２の高温側を向いている場合に入湯温度Ｔinの如何にかかわらず、沸き上げ用三方弁５２の出湯先を貯湯タンク２内の高温側に維持するが、その理由は次のとおりである。例えば、当初の高温側切換温度が５５℃である場合には、当初貯湯タンク２内の下部領域に向いていた沸き上げ用三方弁５２は、入湯温度Ｔinが５５℃以上になれば、貯湯タンク２の高温側に向くように切り換わる。ここで、何らかの理由で高温側切換温度が変更されてＡ’＝８５℃になった場合に、入湯温度Ｔinが高温側切換温度Ａ’＝８５℃より高いかどうかだけで沸き上げ用三方弁５２の向きを決めていたのでは、入湯温度Ｔinが８５℃以下であれば、比較的高温の５５℃以上であっても沸き上げ用三方弁５２が貯湯タンク２の低温側に向けられてしまう。つまり、比較的高温の湯を貯湯タンク２の下部に送ってしまうことになり、却って運転効率の低下を招くことになる。これに対して、沸き上げ用三方弁５２が貯湯タンク２の高温側を向いている場合に入湯温度Ｔinの如何にかかわらず、沸き上げ用三方弁５２の出湯先を貯湯タンク２内の高温側に維持することで、５５℃以上の湯を貯湯タンク２の下部領域に戻すことを防止でき、ヒートポンプユニット１０１のＣＯＰが低下することを防止できる。また、この場合、沸き上げ用三方弁５２が高温側を向いている時点で貯湯タンク２の上部には現在の入湯温度（たとえば５５℃）以上の湯はないので、貯湯タンク２の上部の湯温を下げることにはならない（通常、沸き上げ運転中は入湯温度は上昇する）。
【００７０】
ステップＳ１１２で入湯温度Ｔinが高温側切換温度Ａ’より高いと判定された場合、または、沸き上げ用三方弁５２が貯湯タンク２の高温側を向いていると判断された場合、ステップＳ１１４において、流路切換制御部７１は、沸き上げ用三方弁５２を制御して、その出湯先を貯湯タンク２内の上部領域に切換または維持を行う。この切換または維持によって、貯湯タンク２の高温側に５５℃以上の湯を供給でき、高温側の湯温が下がることを防止できる。そして、処理はステップＳ１１６に移行する。
【００７１】
ステップＳ１１６において、流路切換制御部７１は、ヒートポンプユニット１０１の運転停止指示を受け付けたか否か判定する。運転停止指示を受け付けた場合、処理はステップＳ１１８に移行する。一方、運転停止指示を受け付けなかった場合、処理は再びステップＳ１０２を繰り返す。
【００７２】
ステップＳ１１６で運転停止指示を受け付けた場合、ステップＳ１１８において、流路切換制御部７１は、沸き上げ用三方弁５２の出湯先を、貯湯タンク２内の上部領域から下部領域に切り換える。この後、処理はステップＳ１２０に移行する。
【００７３】
ステップＳ１２０において、ヒートポンプユニット１０１の運転が停止され、本発明の第１実施形態の制御部６０による沸き上げ用三方弁５２の切換制御動作が完了する。
【００７４】
一方、ステップＳ１０８でヒートポンプユニット１０１が除霜運転中であると判定された場合、ステップＳ１１０で除霜運転指示を受け付けた場合、または、ステップＳ１１２で入湯温度Ｔinが高温側切換温度Ａ’以下であると判定され、かつ、沸き上げ用三方弁５２が貯湯タンク２の高温側を向いていない（入湯温度Ｔinは５５℃未満である）と判断された場合、ステップＳ１２２において、流路切換制御部７１は、沸き上げ用三方弁５２の出湯先を貯湯タンク２内の下部領域に維持または切換を行う。この維持によって、貯湯タンク２の低温側に５５℃以上の湯を戻すことによるヒートポンプユニット１０１のＣＯＰ低下を防止できる。そして、処理はステップＳ１２４に移行する。
【００７５】
ステップＳ１２４において、流路切換制御部７１は、ヒートポンプユニット１０１の運転停止指示を受け付けたか否か判定する。運転停止指示を受け付けた場合、処理はステップＳ１２６に移行する。一方、運転停止指示を受け付けなかった場合、処理は再びステップＳ１０２を繰り返す。
【００７６】
ステップＳ１２６において、ヒートポンプユニット１０１の運転が停止され、本発明の第１実施形態の制御部６０による沸き上げ用三方弁５２の切換制御動作が完了する。
【００７７】
以上、第１実施形態では、貯湯タンク２内の上部領域におけるタンク温度Ｔ４の低下に伴い、高温側切換温度Ａを高温側切換温度Ａ’に容易に変更できる。したがって、ヒートポンプユニット１０１から貯湯タンク２内の上部領域に供給される温水の温度を暖房給湯システム１００の運転状況に応じて柔軟に下げることができる。このため、ヒートポンプユニット１０１のＣＯＰを向上でき、電気料金を低減できる。
【００７８】
更に、本実施形態で入湯温度センサ６２は、往き配管２０において凝縮器１３より沸き上げ用三方弁５２に近い位置で貯湯タンク２への入湯温度Ｔinを検知可能である。したがって、往き配管２０における温水の熱損失や放熱による影響を考慮した入湯温度Ｔinの検知を実現でき、入湯温度Ｔinの検知精度を高めることができる。
【００７９】
（第２実施形態）
次に、本発明の第２実施形態について説明する。第１実施形態で説明した要素と同一の要素については、詳細な説明を省略する。図４は、制御部１６０の構成を示すブロック図である。この実施形態では、制御部１６０が、タンク温度検知部７５、外気温度検知部７９、低温側切換温度変更部８０（低温側切換温度変更手段）及び低温側切換温度記憶部８１（低温側切換温度記憶手段）を有している点で、第１実施形態と相違する。
【００８０】
入湯温度検知部７０は、入湯温度センサ６２（高温側温度センサ）から入湯温度Ｔinを示す情報を受け取り、受け取った情報を流路切換制御部７６に出力する。タンク温度検知部７５は、タンク温度センサ６３（低温側温度センサ）からタンク温度Ｔ１を示す情報を受け取り、受け取った情報を流路切換制御部７６に出力する。流路切換制御部７６は、入湯温度検知部７０またはタンク温度検知部７５から受け取った情報と、高温側切換温度記憶部７８または低温側切換温度記憶部８１に格納された高温側切換温度や低温側切換温度を示す情報に基づいて沸き上げ用三方弁５２を制御して、その出湯先を貯湯タンク２内の上部領域あるいは下部領域に切り換える。
【００８１】
高温側切換温度変更部７７は、リモコン６１に入力された暖房端末８への供給温度ＳＴを示す情報を受け取り、受け取った情報に基づいて、高温側切換温度記憶部７８に格納された高温側切換温度を示す情報を変更する。
【００８２】
高温側切換温度記憶部７８は、例えば電気的にデータの書き換えが可能なＥＥＰＲＯＭ やフラッシュメモリ等で構成される。なお、この高温側切換温度記憶部７８は、制御部６０に搭載される電気的にデータの書き換えが可能なＲＯＭ等で代用することも可能である。
【００８３】
外気温度検知部７９は、外気温度センサ１８から外気温度を示す情報を受け取り、受け取った外気温度を示す情報を低温側切換温度変更部８０に出力する。低温側切換温度変更部８０は、外気温度検知部７９から受け取った情報に基づいて、低温側切換温度記憶部８１に格納された低温側切換温度を示す情報を変更する。
【００８４】
低温側切換温度記憶部８１は、例えば電気的にデータの書き換えが可能なＥＥＰＲＯＭ やフラッシュメモリ等で構成される。なお、この低温側切換温度記憶部８１は、制御部６０に搭載される電気的にデータの書き換えが可能なＲＯＭ等で代用することも可能である。
【００８５】
図５及び図６は、本発明の第２実施形態の制御部１６０による沸き上げ用三方弁５２の切換制御動作を示すフローチャートである。この例では、図３と同様に初期状態において、ヒートポンプユニット１０１は停止しており、沸き上げ用三方弁５２の出湯先は、貯湯タンク２内の下部領域に予め設定されている。また、高温側切換温度記憶部７８には、高温側切換温度としてＡ℃を示す情報が、低温側切換温度記憶部８１には、低温側切換温度としてＢ℃を示す情報がそれぞれ格納される。また、室内ユニット１０２から各暖房端末８に供給される温水の供給温度は８５℃に設定されている。
【００８６】
まず、ステップＳ２００において、ヒートポンプユニット１０１の運転が開始される。そして、処理はステップＳ２０２に移行する。
【００８７】
ステップＳ２０２において、高温側切換温度変更部７７は、暖房端末８への供給温度ＳＴ（８５℃）が設定変更されたか否か判定する。供給温度ＳＴが８５℃から例えば６５℃に設定変更された場合、処理はステップＳ２０４に移行する。一方、供給温度ＳＴが設定変更されなかった場合、処理はステップＳ２０６に移行する。
【００８８】
ステップＳ２０４において、高温側切換温度変更部７７は、供給温度ＳＴが８５℃から６５℃に低下したことに伴い、高温側切換温度記憶部７８に格納された高温側切換温度Ａを高温側切換温度Ａよりも低い高温側切換温度Ａ’に変更する。そして、処理はステップＳ２０６に移行する。
【００８９】
ステップＳ２０６において、外気温度検知部７９は、外気温度センサ１８から外気温度ＯＴを示す情報を受け取り、受け取った情報を低温側切換温度変更部８０に出力する。そして、処理はステップＳ２０８に移行する。
【００９０】
ステップＳ２０８において、低温側切換温度変更部８０は、外気温度検知部７９から受け取った外気温度ＯＴを示す情報に基づいて、低温側切換温度記憶部８１に格納された低温側切換温度Ｂを低温側切換温度Ｂ’に変更する。この例では、外気温度ＯＴの上昇に伴い、低温側切換温度Ｂ’は低温側切換温度Ｂより低い温度に設定される。そして、処理はステップＳ２１０に移行する。
【００９１】
ステップＳ２１０において、入湯温度検知部７０は、入湯温度センサ６２から入湯温度Ｔinを示す情報を受け取り、受け取った情報を流路切換制御部７６に出力する。そして、処理はステップＳ２１２に移行する。
【００９２】
ステップＳ２１２において、タンク温度検知部７５は、タンク温度センサ６３からタンク温度Ｔ１を示す情報を受け取り、受け取った情報を流路切換制御部７６に出力する。そして、処理はステップＳ２１４に移行する。
【００９３】
ステップＳ２１４において、流路切換制御部７６は、ヒートポンプユニット１０１が除霜運転中であるか否か判定する。除霜運転中の場合、沸き上げ用三方弁５２の出湯先を貯湯タンク２内の下部領域に維持または切換を行うために、処理はステップＳ２２４に移行する。一方、除霜運転中でない場合、処理はステップＳ２１６に移行する。
【００９４】
ステップＳ２１４でヒートポンプユニット１０１が除霜運転中でないと判定された場合、ステップＳ２１６において、流路切換制御部７６は、除霜運転指示を受け付けたか否か判定する。除霜運転指示を受け付けた場合、沸き上げ用三方弁５２の出湯先を貯湯タンク２内の下部領域に維持または切換を行うために、処理はステップＳ２２４に移行する。一方、除霜運転指示を受け付けなかった場合、処理はステップＳ２１８に移行する。
【００９５】
ステップＳ２１８において、流路切換制御部７６は、入湯温度検知部７０から受け取った入湯温度Ｔinが高温側切換温度Ａ’より高いか否か、または、沸き上げ用三方弁５２が貯湯タンク２の高温側を向いているか否かを判定する。入湯温度Ｔinが高温側切換温度Ａ’より高い場合、または、沸き上げ用三方弁５２が貯湯タンク２の高温側を向いている場合、沸き上げ用三方弁５２の出湯先を貯湯タンク２内の上部領域に切換また維持を行うために、処理はステップＳ２２２に移行する。一方、入湯温度Ｔinが高温側切換温度Ａ’以下であり、かつ、沸き上げ用三方弁５２が貯湯タンク２の高温側を向いていない場合、タンク温度Ｔ１を低温側切換温度Ｂ’と比較判定するために、処理はステップＳ２２０に移行する。
【００９６】
ステップＳ２１８で入湯温度Ｔinが高温側切換温度Ａ’以下であると判定され、かつ、沸き上げ用三方弁５２が貯湯タンク２の高温側を向いていないと判断された場合、ステップＳ２２０において、流路切換制御部７６は、タンク温度Ｔ１が低温側切換温度Ｂ’より高いか否か判定する。タンク温度Ｔ１が低温側切換温度Ｂ’より高い場合、沸き上げ用三方弁５２の出湯先を貯湯タンク２内の下部領域から上部領域に切り換えるために、処理はステップＳ２２２に移行する。一方、タンク温度Ｔ１が低温側切換温度Ｂ’以下の場合、沸き上げ用三方弁５２の出湯先を貯湯タンク２内の下部領域で維持するために、処理はステップＳ２２４に移行する。
【００９７】
一方、ステップＳ２１８で入湯温度Ｔinが高温側切換温度Ａ’より高いと判定された場合、または、沸き上げ用三方弁５２が貯湯タンク２の高温側を向いていると判断された場合、あるいは、ステップＳ２２０でタンク温度Ｔ１が低温側切換温度Ｂ’より高いと判定された場合、ステップＳ２２２において、流路切換制御部７６は、沸き上げ用三方弁５２を制御して、その出湯先を貯湯タンク２内の上部領域に切換または維持を行う。そして、処理は図６のステップＳ２２６に移行する。
【００９８】
ステップＳ２２６において、流路切換制御部７６は、ヒートポンプユニット１０１の運転停止指示を受け付けたか否か判定する。運転停止指示を受け付けた場合、処理はステップＳ２２８に移行する。一方、運転停止指示を受け付けなかった場合、処理は再び図５のステップＳ２０２を繰り返す。
【００９９】
ステップＳ２２６でヒートポンプユニット１０１の運転停止指示を受け付けた場合、ステップＳ２２８において、流路切換制御部７６は、沸き上げ用三方弁５２の出湯先を、貯湯タンク２内の上部領域から下部領域に切り換える。そして、処理はステップＳ２３０に移行する。
【０１００】
ステップＳ２３０において、ヒートポンプユニット１０１の運転が停止され、本発明の第２実施形態の制御部１６０による沸き上げ用三方弁５２の切換制御動作が完了する。
【０１０１】
一方、図５において、ステップＳ２１４でヒートポンプユニット１０１が除霜運転中であると判定された場合、ステップＳ２１６で除霜運転指示を受け付けた場合、または、ステップＳ２２０でタンク温度Ｔ１が低温側切換温度Ｂ’以下であると判定された場合、ステップＳ２２４において、流路切換制御部７６は、沸き上げ用三方弁５２の出湯先を貯湯タンク２内の下部領域に維持または切換を行う。そして、処理は図６のステップＳ２３２に移行する。
【０１０２】
ステップＳ２３２において、流路切換制御部７６は、ヒートポンプユニット１０１の運転停止指示を受け付けたか否か判定する。運転停止指示を受け付けた場合、処理はステップＳ２３４に移行する。一方、運転停止指示を受け付けなかった場合、処理は再び図５のステップＳ２０２を繰り返す。
【０１０３】
ステップＳ２３４において、ヒートポンプユニット１０１の運転が停止され、本発明の第２実施形態の制御部１６０による沸き上げ用三方弁５２の切換制御動作が完了する。
【０１０４】
以上、第２実施形態では、第１実施形態と同様の効果を得ることができる。更に、外気温度ＯＴの上昇に応じて、低温側切換温度Ｂを低温側切換温度Ｂより低温の低温側切換温度Ｂ’へと柔軟かつ容易に変更できる。よって、ヒートポンプユニット１０１から貯湯タンク２内の下部領域に供給される温水の温度を暖房給湯システム１００の運転状況に応じて柔軟に下げることができる。したがって、貯湯タンク２から戻り配管２１を介してヒートポンプユニット１０１に供給される温水の温度を低下できる。このため、ヒートポンプシステム１０１のＣＯＰを向上でき、電気料金を低減できる。
【０１０５】
更に、本実施形態では、暖房端末８への供給温度の変化に応じて、高温側切換温度Ａを柔軟かつ容易に高温側切換温度Ａ’へと変更できる。
【０１０６】
（第３実施形態）
次に、本発明の第３実施形態について説明する。第１及び第２実施形態で説明した要素と同一の要素については、詳細な説明を省略する。図７は、制御部２６０の構成を示すブロック図である。この実施形態では、制御部２６０が流路切換制御部８２を有している点で、第１及び第２実施形態と相違する。
【０１０７】
タンク温度検知部７５は、タンク温度センサ６３（低温側温度センサ）からタンク温度Ｔ１を示す情報を受け取り、受け取った情報を流路切換制御部８２に出力する。流路切換制御部８２は、タンク温度検知部７５から受け取った情報と、低温側切換温度記憶部８１に格納された低温側切換温度を示す情報に基づいて沸き上げ用三方弁５２を制御して、その出湯先を貯湯タンク２内の上部領域あるいは下部領域に切り換える。
【０１０８】
図８は、本発明の第３実施形態の制御部２６０による沸き上げ用三方弁５２の切換制御動作を示すフローチャートである。この例では、初期状態において、ヒートポンプユニット１０１は停止しており、沸き上げ用三方弁５２の出湯先は、貯湯タンク２内の下部領域に設定される。また、低温側切換温度記憶部８１には、低温側切換温度としてＢ℃を示す情報が予め格納される。
【０１０９】
まず、ステップＳ３００において、ヒートポンプユニット１０１の運転が開始される。そして、処理はステップＳ３０２に移行する。
【０１１０】
ステップＳ３０２において、外気温度検知部７９は、外気温度センサ１８から外気温度ＯＴを示す情報を受け取り、受け取った情報を低温側切換温度変更部８０に出力する。そして、処理はステップＳ３０４に移行する。
【０１１１】
ステップＳ３０４において、低温側切換温度変更部８０は、外気温度検知部７９から受け取った外気温度ＯＴを示す情報に基づいて、低温側切換温度記憶部８１に格納された低温側切換温度Ｂを低温側切換温度Ｂ’に変更する。この例では、外気温度ＯＴの上昇に伴い、低温側切換温度Ｂ’は低温側切換温度Ｂより低い温度に設定される。そして、処理はステップＳ３０６に移行する。
【０１１２】
ステップＳ３０６において、タンク温度検知部７５は、タンク温度センサ６３からタンク温度Ｔ１を示す情報を受け取り、受け取った情報を流路切換制御部８２に出力する。そして、処理はステップＳ３０８に移行する。
【０１１３】
ステップＳ３０８において、流路切換制御部８２は、ヒートポンプユニット１０１が除霜運転中であるか否か判定する。除霜運転中の場合、沸き上げ用三方弁５２の出湯先を貯湯タンク２内の下部領域に維持または切換を行うために、処理はステップＳ３２２に移行する。一方、除霜運転中でない場合、処理はステップＳ３１０に移行する。
【０１１４】
ステップＳ３０８でヒートポンプユニット１０１が除霜運転中でないと判定された場合、ステップＳ３１０において、流路切換制御部８２は、除霜運転指示を受け付けたか否か判定する。除霜運転指示を受け付けた場合、沸き上げ用三方弁５２の出湯先を貯湯タンク２内の下部領域に維持または切換を行うために、処理はステップＳ３２２に移行する。一方、除霜運転指示を受け付けなかった場合、処理はステップＳ３１２に移行する。
【０１１５】
ステップＳ３１２において、流路切換制御部８２は、タンク温度検知部７５から受け取ったタンク温度Ｔ１が低温側切換温度記憶部８１に格納された低温側切換温度Ｂ’より高いか、または、沸き上げ用三方弁５２が貯湯タンク２の高温側を向いているか否か判定する。タンク温度Ｔ１が低温側切換温度Ｂ’より高い場合、または、沸き上げ用三方弁５２が貯湯タンク２の高温側を向いている場合、沸き上げ用三方弁５２の出湯先を貯湯タンク２内の上部領域に切換または維持を行うために、処理はステップＳ３１４に移行する。一方、タンク温度Ｔ１が低温側切換温度Ｂ’以下であり、かつ、沸き上げ用三方弁５２が貯湯タンク２の高温側を向いていない場合、沸き上げ用三方弁５２の出湯先を貯湯タンク２内の下部領域で維持するために、処理はステップＳ３２２に移行する。
【０１１６】
ステップＳ３１２でタンク温度Ｔ１が低温側切換温度Ｂ’より高いと判定された場合、または、沸き上げ用三方弁５２が貯湯タンク２の高温側を向いていると判断された場合、ステップＳ３１４において、流路切換制御部８２は、沸き上げ用三方弁５２の出湯先を貯湯タンク２内の上部領域に切換または維持を行う。そして、処理はステップＳ３１６に移行する。
【０１１７】
ステップＳ３１６において、流路切換制御部８２は、ヒートポンプユニット１０１の運転停止指示を受け付けたか否か判定する。運転停止指示を受け付けた場合、処理はステップＳ３１８に移行する。一方、運転停止指示を受け付けなかった場合、処理は再びステップＳ３０２を繰り返す。
【０１１８】
ステップＳ３１６でヒートポンプユニット１０１の運転停止指示を受け付けた場合、ステップＳ３１８において、流路切換制御部８２は、沸き上げ用三方弁５２の出湯先を、貯湯タンク２内の上部領域から下部領域に切り換える。そして、処理はステップＳ３２０に移行する。
【０１１９】
ステップＳ３２０において、ヒートポンプユニット１０１の運転が停止され、本発明の第３実施形態の制御部２６０による沸き上げ用三方弁５２の切換制御動作が完了する。
【０１２０】
一方、ステップＳ３０８でヒートポンプユニット１０１が除霜運転中であると判定された場合、ステップＳ３１０で除霜運転指示を受け付けた場合、または、ステップＳ３１２でタンク温度Ｔ１が低温側切換温度Ｂ’以下であり、かつ、沸き上げ用三方弁５２が貯湯タンク２の高温側を向いていないと判断された場合、ステップＳ３２２において、流路切換制御部８２は、沸き上げ用三方弁５２の出湯先を貯湯タンク２内の下部領域に維持または切換を行う。そして、処理はステップＳ３２４に移行する。
【０１２１】
ステップＳ３２４において、流路切換制御部８２は、ヒートポンプユニット１０１の運転停止指示を受け付けたか否か判定する。運転停止指示を受け付けた場合、処理はステップＳ３２６に移行する。一方、運転停止指示を受け付けなかった場合、処理は再びステップＳ３０２を繰り返す。
【０１２２】
ステップＳ３２６において、ヒートポンプユニット１０１の運転が停止され、本発明の第３実施形態の制御部２６０による沸き上げ用三方弁５２の切換制御動作が完了する。
【０１２３】
以上、第３実施形態では、第１及び第２実施形態と同様の効果を得ることができる。更に、外気温度ＯＴの上昇に応じて、低温側切換温度Ｂを低温側切換温度Ｂ’へと柔軟かつ容易に変更できる。よって、ヒートポンプユニット１０１から貯湯タンク２内の下部領域に供給される温水の温度を暖房給湯システム１００の運転状況に応じて柔軟に下げることができる。したがって、貯湯タンク２から戻り配管２１を介してヒートポンプユニット１０１に供給される温水の温度を低下できる。このため、ヒートポンプシステム１０１のＣＯＰを向上でき、電気料金を低減できる。
【０１２４】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味及び範囲内でのすべての変更が含まれる。
【０１２５】
なお、上述した第１実施形態では、タンク温度Ｔ４を示す情報に基づいて、高温側切換温度Ａを新たな高温側切換温度Ａ’に変更する例について述べた。本発明は、かかる実施形態に限定されるものではない。タンク温度Ｔ３を示す情報に基づいて、高温側切換温度Ａを変更してもよい。
【０１２６】
なお、上述した第２実施形態では、タンク温度Ｔ１と低温側切換温度Ｂ’を比較判定して、沸き上げ用三方弁５２の出湯先を貯湯タンク２内の下部領域で維持し、または、下部領域から上部領域に切り換える例について述べた。本発明は、かかる実施形態に限定されるものではない。タンク温度Ｔ２と低温側切換温度Ｂ’を比較判定して、沸き上げ用三方弁５２の出湯先を決定してもよい。また、戻り配管２１に設けられた温度センサの出力に応じて沸き上げ用三方弁５２の出湯先を決定してもよい。
【０１２７】
なお、上述した第２実施形態では、暖房端末８への供給温度の変化に応じて、高温側切換温度Ａを高温側切換温度Ａ’に変更する例について述べた。本発明は、かかる実施形態に限定されるものではない。給湯用熱交換器３から給湯端末への出湯温度の変化に応じて高温側切換温度Ａを変更してもよい。この場合も、出湯温度の変化に応じた高温側切換温度Ａの変更を柔軟かつ容易に実現可能である。
【０１２８】
なお、上述した第１〜第３実施形態では、加熱機構を、ＣＯ２冷媒を用いたヒートポンプユニット１０１で構成する例について述べた。本発明は、かかる実施形態に限定されるものではない。例えば、ＣＯ２冷媒以外の冷媒を用いるものであってもよい。
【０１２９】
なお、上述した第１〜第３実施形態では、貯湯タンク２内に熱交換器の一例として給湯用熱交換器３を設ける例について述べた。本発明は、かかる実施形態に限定されるものではない。例えば、室内ユニット１０２は、貯湯タンク２のみ有するものでもよい。
【産業上の利用可能性】
【０１３０】
本発明を利用すれば、高温側切換温度や低温側切換温度を運転状況に応じて変更でき、ヒートポンプシステムのＣＯＰを向上可能な貯湯システム、暖房システム及び給湯システムを得ることができる。
【図面の簡単な説明】
【０１３１】
【図１】本発明の第１実施形態の暖房給湯システムの構成を示す模式図である。
【図２】制御部の構成を示すブロック図である。
【図３】本発明の第１実施形態の制御部による沸き上げ用三方弁の切換制御動作を示すフローチャートである。
【図４】制御部の構成を示すブロック図である。
【図５】本発明の第２実施形態の制御部による沸き上げ用三方弁の切換制御動作を示すフローチャートである。
【図６】本発明の第２実施形態の制御部による沸き上げ用三方弁の切換制御動作を示すフローチャートである。
【図７】制御部の構成を示すブロック図である。
【図８】本発明の第３実施形態の制御部による沸き上げ用三方弁の切換制御動作を示すフローチャートである。
【符号の説明】
【０１３２】
１  ヒートポンプユニット（ヒートポンプシステム）
２  貯湯タンク
３  給湯用熱交換器（熱交換器）
４  暖房用循環回路（循環回路）
１８  外気温度センサ
２０  往き配管（高温側配管）
２４  戻り配管（低温側配管）
５２  沸き上げ用三方弁（流路切換機構）
６０、１６０、２６０  制御部
６１  リモコン（供給温度設定手段及び出湯温度設定手段）
６２  出湯温度センサ（高温側温度センサ）
６５  タンク温度センサ（低温側温度センサ）
６８  タンク温度センサ
７２、７８  高温側切換温度記憶部（高温側切換温度記憶手段）
７４、７７  高温側切換温度変更部（高温側切換温度変更手段）
８０  低温側切換温度変更部（低温側切換温度変更手段）
８１  低温側切換温度記憶部（低温側切換温度記憶手段）
１００  暖房給湯システム
１０１  ヒートポンプユニット（ヒートポンプシステム）
【図１】
2010054120.tif 000003
【図２】
2010054120.tif 000004
【図３】
2010054120.tif 000005
【図４】
2010054120.tif 000006
【図５】
2010054120.tif 000007
【図６】
2010054120.tif 000008
【図７】
2010054120.tif 000009
【図８】
2010054120.tif 000010